(57)【要約】【課題】  シャッターのスイッチ装置の部品点数とコストの削減。【解決手段】  シャッター羽根とシャッター羽根の回動手段と回動手段を付勢する付勢手段とを有し、付勢手段がシャッター羽根の回動を検知する検知手段とを兼用するカメラのシャッター装置において、付勢手段は一端を基板に固定し、他端を前記基板に当接または摺接する構成とする。【選択図】  図１
2007240749.tif 000002
【特許請求の範囲】
【請求項１】
シャッター羽根と前記シャッター羽根の回動手段と前記回動手段を付勢する付勢手段とを有し、前記付勢手段が前記シャッター羽根の回動を検知する検知手段とを兼用するカメラのシャッター装置において、前記付勢手段は一端を基板に固定し、他端を前記基板に当接または摺接することを特徴とするカメラのシャッター装置。
【請求項２】
請求項１に記載のカメラのシャッター装置において、前記付勢手段は、前記基板の当接または摺接に対し弾性的に変化する弾性部を有することを特徴とするカメラのシャッター装置。
【請求項３】
請求項２に記載のカメラのシャッター装置において、前記回動手段の回転中心から前記付勢手段の付勢位置までの距離が、前記回転中心から前記付勢手段の前記基板との当接または摺接位置までの距離より大きいことを特徴とするカメラのシャッター装置。
【請求項４】
請求項２または請求項３に記載のカメラのシャッター装置において、前記付勢手段の前記基板の当接または摺接方向は、前記付勢手段の前記回動手段への付勢方向と略直交することを特徴とするカメラのシャッター装置。
【請求項５】
請求項１に記載のカメラのシャッター装置において、前記弾性部との当接または摺接する前記基板が弾性的に変化する弾性部を有することを特徴とするカメラのシャッター装置。
【請求項６】
請求項５に記載のカメラのシャッター装置において、前記回動手段の回転中心から前記付勢手段の付勢位置までの距離が、前記回転中心から前記付勢手段の基板との当接または摺接位置までの距離より大きいことを特徴とするカメラのシャッター装置。
【請求項７】
請求項5または請求項6に記載のカメラのシャッター装置において、前記付勢手段の前記基板の当接または摺接方向は、前記付勢手段の前記回動手段への付勢方向と略直交することを特徴とするカメラのシャッター装置。
【発明の詳細な説明】
【技術分野】
【０００１】
本発明はカメラに用いるシャッター装置に関するものである。
【背景技術】
【０００２】
公知の技術としてカメラのシャッター羽根の解放検知を行う場合、ＰＩやＰＲ等、光学的に検知を行っている。
【０００３】
また、特許文献１のスイッチ手段は、支持板の一方に設けてある可動ばね接片と、この可動ばね接片が接離するよう支持板の一方に設けてある固定接片とにより構成している。
【特許文献１】特開平１０−３１０６号公報
【発明の開示】
【発明が解決しようとする課題】
【０００４】
このようにＰＩやＰＲ等、光学的に検知する場合、部品単価が高くコスト削減が困難となっていた。
【０００５】
また、特開平１０−３１０６のスイッチ手段は、支持板の一方に設けてある可動ばね接片と、この可動ばね接片が接離するよう支持板の一方に設けてある固定接片とにより構成により従来の光学式ＳＷ検知を廃止し、コスト削減することがきるが、支持板に固定切片を設けているためPIやPRを用いた場合に比べ部品点数が増している。
【０００６】
本発明は上記問題を鑑みてなされたものであり、その目的はシャッターのスイッチ装置の部品点数とコストの削減である。
【課題を解決するための手段】
【０００７】
上記目的を達成するため、本発明は請求項1に記載のようにシャッター羽根と前記シャッター羽根の回動手段と前記回動手段を付勢する付勢手段とを有し、前記付勢手段が前記シャッター羽根の回動を検知する検知手段とを兼用するカメラのシャッター装置において、前記付勢手段は一端を基板に固定し、他端を前記基板に当接または摺接することにより、部品点数を削減し、安価なスイッチ装置を構成することができる。
【０００８】
上記目的を達成するため、本発明は請求項２に記載のように前記付勢手段は、前記基板の当接または摺接に対し弾性的に変化する弾性部有することにより、付勢手段に回動手段へのバネ付勢とＳＷ付勢を設けることができ、かつＳＷ付勢部の付勢力によりＳＷの信号の安定化を図ることができる。
【０００９】
上記目的を達成するため、本発明は請求項３に記載のように前記回動手段の回転中心から前記付勢手段の付勢位置までの距離が、前記回転中心から前記付勢手段の前記基板との当接または摺接位置までの距離より大きいことにより、基板からの反力の影響を軽減し、ＳＷの信号の安定化を図ることができる。
【００１０】
上記目的を達成するため、本発明は請求項４に記載のように前記付勢手段の前記基板の当接または摺接方向は、前記付勢手段の前記回動手段への付勢方向と略直交することにより、閉じ（開き）方向へのＳＷ反力の影響を軽減し（ＳＷ反力（Ｎ＝ｋｘ）による付勢力方向にかかる力が摩擦依存し、Ｆ＝μＮとなる。このとき摩擦係数は1以下であるので、ＳＷ反力が付勢方向と同方向になるように配置しとしたときに比べ力を軽減できる。）、ＳＷの信号が安定化を図ることができる。
【００１１】
上記目的を達成するため、本発明は請求項５に記載のように前記弾性部との当接または摺接する前記基板が弾性的に変化する弾性部有することにより、ＳＷ付勢を設けることができ、付勢力によりＳＷの信号の安定化を図ることができる。
【００１２】
上記目的を達成するため、本発明は請求項６に記載のように前記回動手段の回転中心から前記付勢手段の付勢位置までの距離が、前記回転中心から前記付勢手段の基板との当接または摺接位置までの距離より大きいことにより、基板からの反力の影響を軽減し、ＳＷの信号の安定化を図ることができる。
【００１３】
上記目的を達成するため、本発明は請求項７に記載のように前記付勢手段の前記基板の当接または摺接方向は、前記付勢手段の前記回動手段への付勢方向と略直交することにより、閉じ（開き）方向へのＳＷ反力の影響を軽減し（ＳＷ反力（Ｎ＝ｋｘ）による付勢力方向にかかる力が摩擦依存し、Ｆ＝μＮとなる。このとき摩擦係数は1以下であるので、ＳＷ反力が付勢方向と同方向になるように配置しとしたときに比べ力を軽減できる。）、ＳＷの信号が安定化を図ることができる。
【発明の効果】
【００１４】
請求項１記載の発明によれば、シャッター羽根と前記シャッター羽根の回動手段と前記回動手段を付勢する付勢手段とを有し、前記付勢手段が前記シャッター羽根の回動を検知する検知手段とを兼用するカメラのシャッター装置において、前記付勢手段は一端を基板に固定し、他端を前記基板に当接または摺接することにより、部品点数を削減し、安価なスイッチ装置を構成することができる。
【００１５】
請求項２記載の発明によれば、前記付勢手段は、前記基板の当接または摺接に対し弾性的に変化する弾性部有することにより、付勢手段に回動手段へのバネ付勢とＳＷ付勢を設けることができ、ＳＷ付勢部の付勢力によりＳＷの信号の安定化を図ることができる。
【００１６】
請求項３記載の発明によれば、前記回動手段の回転中心から前記付勢手段の付勢位置までの距離が、前記回転中心から前記付勢手段の前記基板との当接または摺接位置までの距離より大きいことにより、基板からの反力の影響を軽減し、ＳＷの信号の安定化を図ることができる。
【００１７】
請求項4記載の発明によれば、前記付勢手段の前記基板の当接または摺接方向は、前記付勢手段の前記回動手段への付勢方向と略直交することにより、閉じ（開き）方向へのＳＷ反力の影響を軽減し（ＳＷ反力（Ｎ＝ｋｘ）による付勢力方向にかかる力が摩擦依存し、Ｆ＝μＮとなる。このとき摩擦係数は1以下であるので、ＳＷ反力が付勢方向と同方向になるように配置しとしたときに比べ力を軽減できる。）、ＳＷの信号が安定化を図ることができる。
【００１８】
請求項５記載の発明によれば、前記弾性部との当接または摺接する前記基板が弾性的に変化する弾性部有することにより、ＳＷ付勢を設けることができ、ＳＷ付勢部の付勢力によりＳＷの信号の安定化を図ることができる。
【００１９】
請求項６記載の発明によれば、前記回動手段の回転中心から前記付勢手段の付勢位置までの距離が、前記回転中心から前記付勢手段の基板との当接または摺接位置までの距離より大きいことにより、基板からの反力の影響を軽減し、ＳＷの信号の安定化を図ることができる。
【００２０】
請求項７記載の発明によれば、前記付勢手段の前記基板の当接または摺接方向は、前記付勢手段の前記回動手段への付勢方向と略直交することにより、閉じ（開き）方向へのＳＷ反力の影響を軽減し（ＳＷ反力（Ｎ＝ｋｘ）による付勢力方向にかかる力が摩擦依存し、Ｆ＝μＮとなる。このとき摩擦係数は1以下であるので、ＳＷ反力が付勢方向と同方向になるように配置しとしたときに比べ力を軽減できる。）、ＳＷの信号が安定化を図ることができる。
【発明を実施するための最良の形態】
【００２１】
次に、本発明の詳細を実施例の記述に従って説明する。
【００２２】
（第１の実施例）
以下、図１〜図４を参照して本発明の一実施例を説明する。
【００２３】
図１はシャッターユニットを示す斜視図、図２は図１のシャッター羽根閉じ付勢バネを示す詳細図、図３は図1シャッターユニットを示す正面図、図４はシャッター開閉時の閉じバネの動きを示す詳細図である。
【００２４】
図１から図３を用いてシャッターユニット10の構成について説明する。１はシャッターベースＡ、２はシャッターベースＢで、２枚のシャッター羽根Ａ３ａとシャッター羽根Ｂ３ｂからなるシャッター羽根３がシャッターベースＡ１とシャッターベースＢ２の間に介在し、不図示の回転軸周り回転可能に配設され、シャッターベースＡ１とシャッターベースＢ２に設けた各々の開口部１aと不図示の開口部を開放／遮閉する。
【００２５】
シャッター羽根の駆動源として、シャッターカバー４とシャッターベースＢ２の間に電磁石である不図示のシャッターコイルとシャッターコイルが巻きつけられるボビン、ボビン内部を通る複数枚からなるシャッターヨーク５とシャッターヨーク５の磁力によって回動可能に組みつけられた永久磁石のシャッターロータが配設されている。駆動源となるシャッターコイルへの通電のためにフレキ基板６が図１のシャッターカバー４の裏面に回りこみシャッターカバー４に固着されている。シャッターロータのロータ出力軸７とシャッター羽根に設けた不図示の穴部が係合しロータの回動に伴いシャッター羽根が回動する。また、シャッター羽根閉じ付勢バネ８がロータの回動方向に反してシャッター羽根を閉じ方向に付勢している。
【００２６】
次にシャッターの羽根の回動検知の構成について説明する。シャッター羽根閉じ付勢バネ８がシャッターベースＡ１からのバネ掛け部１ｂに掛けられ、固定部８ａがフレキ基板6から延伸するＧＮＤ部６ａに固着し、摺動部８ｂがＳＷ部６ｂに接することで導通／非導通が可能となる。このとき、シャッター羽根閉じ付勢バネ８には摺接部８ｂに安定的な導通を行わせるために弾性部8ｃ（図4参照）を設けた。また、摺動部８ｂのＳＷ部から受ける反力の方向はシャッター羽根３の回動の影響を少なくするためにシャッター羽根３の閉じ方向に直交し、シャッター羽根閉じ付勢バネ８の長軸方向となるようにした。
【００２７】
以上の構成をもとに、シャッター羽根閉じ付勢バネ８の動作について図４を用いて説明する。図４（ａ）はシャッター羽根閉時、シャッター羽根閉じ付勢バネがＳＷ部６ｂに接し、導通状態にある。この状態からフレキ基板６を介し不図示のシャッターコイルに電流を流すと、シャッターヨーク５に電磁力が発生しシャッターロータを回動させ、シャッター羽根付勢バネに抗し、シャッター羽根を開き方向に回動させる。回動開始と同時にシャッター羽根閉じ付勢バネ８の摺接部８ｂがＳＷ部６ｂから離れ非道通となり、シャッター羽根３の回動開始を検知する。図４（ｂ）はシャッター羽根開時、シャッター羽根閉じ付勢バネがＳＷ部６ｂから完全に離れ、非導通状態にある。
【００２８】
（第２の実施例）
以下、図５〜図８を参照して本発明の別の実施例を説明する。
【００２９】
図５はシャッターユニットを示す斜視図、図２は図１のシャッター羽根閉じ付勢バネを示す詳細図、図３は図1のシャッターユニットを示す正面図、図４はシャッター開閉時の閉じバネの動きを示す詳細図である。
【００３０】
図５、図６、図７、図８において、第１の実施例と同じ構成のものに関し、同一符号を記すと共に、その説明に関しては簡単にするためにここでは省略し、第１の実施例との相違点について説明する。シャッターの羽根の開放検知の構成として、シャッター羽根閉じ付勢バネ９がシャッターベースＡ１からのバネ掛け部１ｂに掛けられ、固定部９ａがフレキ基板6から延伸するＧＮＤ部６ａに固着し、当接部９ｂがＳＷ部６ｂに接することで導通／非導通が可能となる。このとき、シャッター羽根閉じ付勢バネ９には当接部９ａに安定的な導通を行わせるために弾性部９ｃを設けた。また、当接部９ｂのＳＷ部から受ける反力の影響を少なくするためにシャッター羽根閉じ付勢バネ９の回動力の中心となるバネ掛け部１ｂからロータ出力軸７までの長さより短い部位にＳＷ部６ｂとの当接部９ｂを設けた。
【００３１】
なお、図６は、図５のシャッター羽根閉じ付勢バネを示す詳細図であり、図７は、図５のシャッターユニットを示す正面図であり、図８は、図５〜図７に示すシャッター羽根の開閉時の閉じ付勢ばねの動きを示す詳細図である。
【００３２】
また、第１の実施例では、シャッター羽根閉じ付勢バネ８の摺動部８ｂをロータ出力軸７よりも回転半径が長い位置に設けたが、第２の実施例のように回転半径が短い位置で摺動するように設定しても良い。
【００３３】
また、フレキ基板６とシャッター羽根閉じ付勢バネ８、９が弾性的に当接または摺接するようにシャッター羽根閉じ付勢バネ８、９に弾性部を設けたが、図９に示すように、フレキ基板６側が弾性的に変化するよう凹部を設けたり、弾性部材を介在させる等の構成としても良い。
【００３４】
以上、説明したように本実施例によれば、シャッター羽根閉じ付勢バネ８や９のように、シャッター羽根の閉じ方向に付勢力を与える付勢手段とシャッター羽根の回動検知を行うＳＷ手段を兼用させることにより、シャッターのスイッチ装置の部品点数とコスト削減ができる。
【図面の簡単な説明】
【００３５】
【図１】本発明の第１の実施例に係るシャッターユニットを示す斜視図
【図２】図１のシャッター羽根閉じ付勢バネを示す詳細図
【図３】図1のシャッターユニットを示す正面図
【図４】図２〜３に示すシャッター羽根の開閉時の閉じ付勢ばねの動きを示す詳細図
【図５】本発明の第２の実施例に係るシャッターユニットを示す斜視図
【図６】図５のシャッター羽根閉じ付勢バネを示す詳細図
【図７】図５のシャッターユニットを示す正面図
【図８】図５〜７に示すシャッター羽根の開閉時の閉じ付勢ばねの動きを示す詳細図
【図９】図５のシャッター羽根閉じ付勢バネとフレキ基板の当接部を示す詳細図
【符号の説明】
【００３６】
１  シャッターベースＡ
１ａ  開口部
１ｂ  バネ掛け部
１ｃ  凹部（または弾性部材）
２  シャッターベースＢ
３  シャッター羽根
３ａ  シャッター羽根Ａ
３ｂ  シャッター羽根Ｂ
４  シャッターカバー
５  シャッターヨーク
６  フレキ基板
６ａ  ＧＮＤ部
６ｂ  ＳＷ部
７  ロータ出力軸
８  シャッター羽根閉じ付勢バネ
８ａ  固定部
８ｂ  摺動部
８ｃ  弾性部
９  シャッター羽根閉じ付勢バネ
９ａ  固定部
９ｂ  当接部
９ｃ  弾性部
１０  シャッターユニット
【図１】
2007240749.tif 000003
【図２】
2007240749.tif 000004
【図３】
2007240749.tif 000005
【図４】
2007240749.tif 000006
【図５】
2007240749.tif 000007
【図６】
2007240749.tif 000008
【図７】
2007240749.tif 000009
【図８】
2007240749.tif 000010
【図９】
2007240749.tif 000011